(57)【特許請求の範囲】
【請求項１】
一端部がドア体下端部に連結された吊持ち体の他端部を躯体開口部上方に配設した巻装装置に巻装してドア体の吊持ち支持をし、巻装装置の巻取り、巻出し作動に基づいてドア体両側部から突設のガイドローラがガイドレールに案内されてドア体の開閉作動を行う構成としたオーバーヘッド式ドアにおいて、前記ガイドローラのローラ軸に、吊持ち体の切断に基づいて突出揺動して躯体開口部側に設けた係止部に係止する係止爪を設けてドア体の落下を防止する構成とするにあたり、前記係止爪は、基端部がドア体外側面とガイドローラ内側面とのあいだのローラ軸に揺動自在に軸承され、先端部がガイドローラの外周面位置に突出する本体部と、該本体部の先端部に形成される爪体とで構成し、該爪体は、本体部の先端に形成される爪部と、該爪部からガイドローラ外周面に近接対向して外側面位置にまで延出する補助爪部とにより左右方向に長く形成されていて、一方の吊持ち体が切断してドア体が上下に傾斜したときの位置ずれ状態でも係止部に係止するように構成されているオーバーヘッド式ドアの落下防止装置。
【請求項２】
請求項１において、係止爪は、吊持ち体の張力を受けるアームの揺動に連繋して、係止部に係止する係止姿勢と係止解除される解除姿勢とに姿勢変姿するものとし、吊持ち体には、開放作動するドア体が全開状態になることに伴って吊持ち体の張力が減少した場合に、アームが係止爪を係止姿勢に変姿させるべく揺動するのを回避する回避手段が設けられているオーバーヘッド式ドアの落下防止装置。
【発明の詳細な説明】
【０００１】
【発明の属する技術分野】
本発明は、ビル、住宅、工場、倉庫、工事現場等に設けられるオーバーヘッド式ドアの落下防止装置の技術分野に属するものである。
【０００２】
【従来の技術】
一般に、この種オーバーヘッド式ドアのなかには、躯体開口部に建付けたガイドレールに開閉案内されるドア体の下端部に、開口部上方に配設の巻装装置に巻装される吊りワイヤ等の吊持ち体の先端部を連結してドア体を吊持ち支持し、該吊持ち体の巻装装置による巻取り、巻出しに基づいてドア体の開閉作動をするように構成したものがある。
このようなものにおいて、吊持ち体の切断によりドア体が自重落下することが想定されるため、これに対処することが要求される。そこで、特開平８−２６０８４１号公報や特開平８−２９６３８２号公報で示されるような落下防止装置が提唱されている。これらのものは、ドア体側面から外部に突出して設けられるガイドローラのうち、最下端に位置するガイドローラのローラ軸に係止爪を設け、該係止爪を、吊持ち体の切断に基づいて突出揺動する構成とし、これによって吊持ち体の切断に伴い係止爪がガイドレール側に一体的に設けた係止部に係止してドア体の落下を防止するように構成している。
【０００３】
【発明が解決しようとする課題】
ところで、吊持ち体は戸体の両側に設けられるものであり、これに対応して係止爪もドア体の両側に設けられているが、両側の吊持ち体が同時に切断することは希で、左右何れか一方の吊持ち体が切断することの方が多いと考えられる。そして、このように一方の吊持ち体が切断した場合、一方側の係止爪が突出揺動して係止部に係止することになるが、前記従来の係止部は、ガイドレールの全般に亘って形成されるのではなく上下方向に所定間隙を存した状態で設けられているため、該側の戸体側部は切断位置より下方に落下し、このため戸体は上下方向に傾斜することになる。このように、戸体が前記傾斜姿勢となった場合では、係止爪の突出位置が開口部内方に位置ずれすることが考えられ、このようになった場合、係止部の対向位置からずれて係止が外れてしまうことが想定され、こうなると、他側の吊持ち体は、ドア体の全自重を衝撃的に受け持ち支持することになって、吊持ち体に過剰負荷が働いてしまうという問題がある。これに対処するには、係止爪あるいは係止部の左右方向幅を長く確保することや、係止部を多くして形成間隔を小さくすることが考えられる。
しかるに、係止爪と係止部とはドア体の外側面とガイドローラの内側面とのあいだに配設される構成であるので、その左右方向幅はドア体外側面とガイドローラ内側面とのあいだの間隙の寸法によって規制されるという問題がある一方、係止部を多く形成するには作業の手間がかかるという問題があり、ここに本発明が解決しようとする課題があった。
【０００４】
【課題を解決するための手段】
本発明は、上記の如き実情に鑑み、これらの課題を解決することを目的として創作されたものであって、請求項１の発明は、一端部がドア体下端部に連結された吊持ち体の他端部を躯体開口部上方に配設した巻装装置に巻装してドア体の吊持ち支持をし、巻装装置の巻取り、巻出し作動に基づいてドア体両側部から突設のガイドローラがガイドレールに案内されてドア体の開閉作動を行う構成としたオーバーヘッド式ドアにおいて、前記ガイドローラのローラ軸に、吊持ち体の切断に基づいて突出揺動して躯体開口部側に設けた係止部に係止する係止爪を設けてドア体の落下を防止する構成とするにあたり、前記係止爪は、基端部がドア体外側面とガイドローラ内側面とのあいだのローラ軸に揺動自在に軸承され、先端部がガイドローラの外周面位置に突出する本体部と、該本体部の先端部に形成される爪体とで構成し、該爪体は、本体部の先端に形成される爪部と、該爪部からガイドローラ外周面に近接対向して外側面位置にまで延出する補助爪部とにより左右方向に長く形成されていて、一方の吊持ち体が切断してドア体が上下に傾斜したときの位置ずれ状態でも係止部に係止するように構成されているオーバーヘッド式ドアの落下防止装置である。
そして、このようにすることにより、一方の吊持ち体が切断してドア体が傾斜姿勢になったような場合でも、係止爪による係止部への係止ができる。
請求項２の発明は、請求項１において、係止爪は、吊持ち体の張力を受けるアームの揺動に連繋して、係止部に係止する係止姿勢と係止解除される解除姿勢とに姿勢変姿するものとし、吊持ち体には、開放作動するドア体が全開状態になることに伴って吊持ち体の張力が減少した場合に、アームが係止爪を係止姿勢に変姿させるべく揺動するのを回避する回避手段が設けられているオーバーヘッド式ドアの落下防止装置である。これによって、ドア体の全開位置を高位置にすることができる。
【０００５】
【発明の実施の形態】
次に、本発明の実施の形態を図１〜図１１に示す図面に基づいて説明する。
図面において、１はオーバーヘッド式ドアを構成するドア体であって、該ドア体１は複数のパネル体１ａを蝶番１ｂを介して上下方向に一連状に連結して形成されているが、ドア体１の左右両側縁部の上下方向複数箇所には取付け部材２が固定され、これら取付け部材２にガイドローラ３が軸承されるローラ軸が支持されている。一方、４は躯体開口部に建付けられ、前記ガイドローラ３が嵌合案内されるガイドレールであって、該ガイドレール４は、開口部両側部に沿う縦レール部４ａ、天井部に沿う水平レール部４ｂ、縦レール部４ａと水平レール部４ｂとのあいだを連結するコーナーレール部４ｃとで構成されている。また、開口部上部には巻装装置５が配設されており、該巻装装置５に基端部が巻装されるワイヤ６の先端部はドア体１の最下端パネル体１ａに連結され、これによってドア体１を吊持ち支持する設定となっている。ここで、巻装装置５は左右両側に位置しワイヤ６が連結される左右一対のワイヤドラム５ａ、これらワイヤドラム５ａを連動連結する巻取り５ｂ、巻取り軸５ｂに弾装されてドア体１の荷重にバランスするべく蓄勢されるバランス弾機５ｃ等の部材装置で構成されている。
そして、縦レール部４ａに位置して開口部を閉鎖する閉鎖姿勢のドア体を軽く押し操作することでワイヤ６はワイヤドラム５ａに巻取られ、これによってドア体１は、前記閉鎖姿勢から水平レール部４ｂ側に移動して開口部を開放する開放姿勢に変姿するように設定されている。これに対し、ドア体１の開放姿勢から閉鎖姿勢への変姿は、ドア体１に設けられた操作ひも７を軽く引き操作することでなされ、これによってワイヤ６がワイヤドラム５ａから巻出されてドア体１は自重降下に基づいて閉鎖するように設定されている。ここで、本実施の形態のドア体１は前述したように手動操作に基づいて作動する構成となっているが、前記巻装装置５に電動モータを連動連結し、該電動モータの駆動力によってワイヤドラム５ａを駆動させる構成としても勿論よい。
【０００６】
さて、８は前記最下端パネル体１ａの左右両側部に固定されるフレーム部材であって、該フレーム部材８は左右勝手の異なるものが設けられるが、本実施の形態では図４に示す右勝手のものについて説明する。つまり、フレーム部材８はパネル体１ａの屋内側面に当てがわれて固定される第一面部８ａと、該第一面部８ａの両側縁部から屋内側に突出形成される左右一対の第二、第三面部８ｂ、８ｃと、これら第二、第三面部の８ｂ、８ｃのうち、外方に位置する第三面部８ｃに固定され屋外側に突出する第四面部８ｄとを備えて構成されている。ここで、前記第四面部８ｄの屋外側に突出する部位は、第三面部８ｃに固定される部位よりも外方に突出するよう段差状に形成され、突出部位の面部とフレーム部材８に固定されたパネル体１ａ側面とが所定間隔を存して対向するように設定され、さらにこの段差状部には上下に長い開口８ｅが穿設されている。さらに、第二、第三面部８ｂ、８ｃそして第四面部８ｄ固定部位の下方には四角形状の貫通孔８ｆがそれぞれ穿設され、ここにガイドローラ３を軸承するローラ軸９が回り止め、かつ抜け止め状、そして左右移動自在な状態で挿通支持される設定となっている。ここで、該ローラ軸９は、前記取付け部材２に支持される上側のローラ軸３ａとは異なり、本発明が実施された落下防止装置Ｓが設けられる構成となっているが、その詳細については後述する。尚、８ｎは屋内面に設けられる蓋体である。
【０００７】
前記第四面部８ｄの突出部位には、上下面が開放されたボックス状の収納部８ｇが、外方に突出する状態で一体的に固着等の手段により設けられており、該収納部８ｇに、前記ワイヤ６の先端部を連結するためのワイヤ連結体１０の下端部１０ａが収納されている。ところで、ワイヤ連結体１０は、上端部は正面視で二股状に分岐しており、これら分岐部に抜け止め状に軸承される第一ピン軸１０ｂに、前記ワイヤドラム５ａから繰出されたワイヤ６の先端部が連結される設定となっている。また、ワイヤ連結体１０は、下端部１０ａに左右方向を向く第二ピン軸１０ｃが遊嵌されており、該第二ピン軸１０ｃの両端部が、収納部８ｇの外側面８ｈと第四面部８ｄとにそれぞれ穿設の上下方向に長い長孔８ｉに抜け止め状に遊嵌支持されている。これによって、ワイヤ連結体１０は、収納部８ｇに対して前記長孔８ｉの長さ分だけ上下方向移動自在でかつ屋内外方向に揺動自在な状態で連結支持される設定となっている。
【０００８】
一方、前記第二ピン軸１０ｃは、第四面部８ｄ側の長孔８ｉを貫通して内側面に突出しており、該突出端部に、上下方向に長い第一アーム１１の下端部が揺動自在に連結されおり、第一アーム１１が、ワイヤ連結体１０の屋内外揺動については追随して揺動することなく自由状態であるが、上下移動については追随して上下移動するように設定されている。さらに第一アーム１１の上端部は、略Ｌ字形の第二アーム１２の一端部が揺動自在に連結されるが、該第二アーム１２は、一端部側は第四面部８ｄの突出部内側面に沿い、中間部および他端部は第四面部８ｄ固定部位の外側面に沿うよう、固定部位と突出部位とのあいだの開口８ｅを挿通して配されている。そして、第二アーム１２の中間部には枢支ピン１２ａの基端部が一体的に固定され、該枢支ピン１２ａが、第三面部８ｃおよびこれに積層される第四面部８ｄ固定部位、そして第二面部８ｂにそれぞれ穿設の貫通孔８ｊに揺動自在に支持される設定となっており、これによって第二アーム１２は、第一アーム１１の上下移動に伴い枢支ピン１２ａを支点として揺動し、第二アーム１２の他端部が屋内外に揺動する設定となっている。ここで、前記第二アーム１２の他端部は凹状の凹溝部１２ｂに切欠き形成されており、該凹溝部１２ｂに後述する係止爪１３に連結される作動ピン１４が遊嵌する設定となっている。さらに枢支ピン１２ａには付勢弾機１５が弾装されており、第二アーム凹溝部１２ｂを前方揺動する側、つまり第一アーム１１を下動させる側に向けて付勢している。
【０００９】
次に、前記フレーム部材８に支持されるローラ軸９について説明するが、該ローラ軸９は、前記ガイドローラ３と、落下防止装置Ｓを構成する係止爪１３とを組込んだ状態で一つの組立部品、つまりローラアッシー１６として、前記第一、第二アーム１１、１２等の部材装置が組込まれたフレーム部材８に組込まれるようになっている。そしてこのローラ軸９は、左右勝手の異なるものが左右のフレーム部材８にそれぞれ取付けられが、本実施の形態では、図５、６、７に示すように右勝手のものについて説明する。
まず、ローラアッシー１６を構成するローラ軸９は、外形四角形状に形成された軸本体部９ａ、ローラ軸９先端側の外形円形状の軸部９ｂ、そして軸本体部９ａと軸部９ｂとのあいだに形成される係止爪受け部９ｃとが一体型成形されたものになっている。前記軸本体部９ａは、左右方向へのあそびを有するようフレーム部材第二、第三面部８ｂ、８ｃとの対向間よりも長く形成され、第二、第三面部８ｂ、８ｃに穿設の貫通孔８ｆに左右方向移動自在かつ回り止め状に貫通支持されるが、軸本体部９ａ基端側には抜止めボルト９ｄが配されることでローラ軸９の外方側への抜け止めがなされる設定になっている。そして、軸本体部９ａの先端側には係止受け部９ｃとのあいだに下方に長い矩形状の突当て部９ｅが形成されている。前記係止爪受け部９ｃは、突当て部９ｅ外形より細径で、上下に円弧状部が形成された略楕円形状の第一嵌合部９ｆと、該嵌合受け部９ｆより細径で第一嵌合部９ｆと略同形の第二嵌合部９ｇとで形成され、第二嵌合部９ｇは第一嵌合部９ｆに対して上側に偏芯して形成されている。さらに、第二嵌合部９ｇの先端側に外形円形状の軸部９ｂが配されるが、該軸部９ｂは第二嵌合部９ｇよりも細径に形成され、下側外周面が第二嵌合部９ｇと同レベルとなるよう第二嵌合部９ｇに対して偏芯して形成されている。
【００１０】
一方、係止爪１３は、内側部位が円盤状の作動ディスク部１３ａに形成され、該作動ディスク部１３ａの第一貫通孔１３ｂが、ローラ軸係止爪受け部９ｃの第一嵌合部９ｆに揺動自在に外嵌する設定となっている。さらに、作動ディスク部１３ａの外側部位には、先端が下方に延出される本体部１３ｃが一体形成されており、該本体部１３ｃの基端部に前記第一貫通孔１３ｂに連通する状態で形成される第二貫通孔１３ｄが、前記第二嵌合部９ｇに揺動自在に外嵌する設定となっている。そして、係止爪１３を係止爪受け部９ｃに嵌合した状態において、作動ディスク部１３ａの内側面が、突当て部９ｅの外側面に突き当たるように設定されている。
前記本体部１３ｃの先端部は、軸部９ｂに軸承されるガイドローラ３の外周面位置にまで突出しており、該突出端部に爪部１３ｅが一体形成されている。そしてこの爪部１３ｅには、外端面がガイドローラ３の外側面位置にまで延出し、上面がガイドローラ３の外周面に近接対向する補助爪部１３ｆが一体形成され、これによって爪体１３ｇを構成しており、該爪体１３ｇの先端が先鋭状に形成されている。
【００１１】
ところで、係止爪１３は、図７（Ｃ）に示すように爪体１３ｇが下方を向く解除姿勢から矢印Ａ方向（屋外側方向）に所定の角度を揺動することで、後述する躯体側の係止部１７に係合する係止姿勢に変姿する設定となっており、前記ローラ軸９の第一、第二嵌合部９ｆ、９ｇと係止爪１３の第一、第二貫通孔１３ｂ、１３ｄとのあいだには、前記所定角度の揺動範囲内を揺動するよう規制する規制手段が設けられている。つまり、第一貫通孔１３ｂは、第一嵌合部９ｆの上下の円弧状部が所定範囲の揺動を許容されるよう、上下に扇状の連通孔１３ｈ、１３ｉが形成されている一方、第二貫通孔１３ｄは、第一貫通孔１３ｂと同様に、第二嵌合部９ｇの上下の円弧状部が所定範囲の揺動を許容されるよう、上下に扇状の連通孔１３ｊ、１３ｋが形成されている。そして、各連通孔１３ｈ、１３ｉ、１３ｊ、１３ｋの孔縁が対応する第一、第二嵌合部９ｆ、９ｇの外側面に当接することで回り止めがなされる設定となっている。
また、作動ディスク部１３ａの上部には、前記作動ピン１４の基端部が一体的に設けられており、該作動ピン１４の先端部は内方に向けて長く突出するように配されている。
【００１２】
そして、ローラ軸９に、係止爪１３とガイドローラ３とを組込んでローラアッシー１６を組立て、このローラアッシー１６をドア体１最下端のフレーム部材８に組込むことになるが、ローラアッシー１６は、前記作動ピン１４を第二アーム１２の凹溝部１２ｂに係合させ、軸本体部９ａをフレーム部材第二、第三面部８ｂ、８ｃの貫通孔８ｆに挿通支持させ、そして、第二面部８ｂから内方に突出する軸本体部９ａにボルト９ｄを装着することで、フレーム部材８に抜け止め状に組込まれる設定となっている。このとき、作動ピン１４は、凹溝部１２ｂに係合した先端側がさらに内方に突出していて、フレーム部材第三面部８ｃに穿設された円弧状の長孔８ｋに挿通されている。そして後述するように、第二作動アーム１２が屋内外揺動した場合に、凹溝部１２ｂに係合する作動ピン１４を長孔８ｋ内において強制移動させ、これによって係止爪１３が係止爪受け部９ｃに対して揺動するが、該作動ピン１４の強制移動量は、係止爪１３の解除姿勢から係止姿勢への変姿に必要な揺動量に相当するように設定されている。
【００１３】
一方、前記係止部１７は、長尺状の鋼材を折曲して長手方向に長い第一、第二片部１７ａ、１７ｂに形成されており、第一片部１７ａがガイドレール４の縦レール部４ａに一体的に固定されている。また、第二片部１７ｂは、前記第一片部１７ａから屋内側に向けて突出しており、該第二片部１７ｂに、前記爪体１３ｇが係合するための係止片１７ｃが所定間隔を存する状態で切欠き形成されている。
【００１４】
次に、前記落下防止装置Ｓの作動について説明する。前述したように、フレーム部材８にローラアッシー１６を組込んだ後、フレーム部材８のワイヤ連結体１０にワイヤ６を連結することでドア体１のワイヤ６による吊持ちがなされる。この状態では、戸体１の自重（ワイヤ６の張力）がワイヤ連結体１０に作用しており、ワイヤ連結体１０は、第二アーム１２の作動ピン１２ａに設けた弾機１５の付勢力に抗して上動し、長孔８ｉに係止される設定となっている。このとき、第二アーム凹溝部１２ｂは屋外側に揺動し、作動ピン１４を屋外側に強制揺動せしめることになり、これによって、係止爪１３は下方を向く解除姿勢に維持される設定となっている。
これに対し、ワイヤ６が切断し、ワイヤ連結体１０に作用するワイヤ６の張力が消失すると、ワイヤ連結体１０は前記弾機１５の付勢力の作用もあって長孔８ｉの下端縁側に移動することになる。この状態では、第二アーム１２は、弾機１５の付勢力を受けて屋内側に揺動し、作動ピン１４を強制的に屋内側に移動せしめるように設定されており、これによって、係止爪１３が揺動して下端部の爪体１３ｇが屋外側に突出する係止姿勢となるように設定されており、左右方向に長い爪体１３ｇの何れかの部位が前記係止部１７の係止片１７ｃに係合する設定となっている。
【００１５】
ところで、ドア体１は、最下端パネル体１ａが縦レール部４ａからコーナーレール部４ｃに至ることで全開状態となるが、この場合に、ワイヤ６によるワイヤ連結体１０が受ける張力方向は、上向きから屋外側が傾斜上方となる傾斜方向を向くように順次変化することになり、これによってワイヤ連結体１０は、第二ピン軸１０ｃが長孔８ｉに係合する状態で、該第二ピン軸１０ｃを支点として屋外側に揺動することになるが、この状態でのワイヤ６の張力は、ドア体１を鉛直方向に支持している場合よりは小さいものになっている。この場合に、ワイヤ連結体１０の下端部１０ａに切欠き形成された係合部１０ｄが、収納部８ｇの外側面８ｈに形成された係合受け部８ｍに係合してワイヤ連結体１０が下動するのを規制するように設定され、これによってワイヤ６の張力が小さくなった状態でもワイヤ連結体１０が弾機１５の付勢力を受けて長孔８ｉを下方移動してしまうようなことがなく、第二アーム１２を揺動させるのを回避する設定となっている。
【００１６】
叙述の如く構成された本発明の実施の形態において、オーバーヘッド式ドアのドア体１は、ワイヤドラム５ａを回動させてワイヤ６を巻取り、巻出しすることで開閉作動がなされることになる。そして、ドア体１がワイヤ６に吊持ち支持される通常使用状態では、ワイヤ６の張力を受けたワイヤ連結体１０が長孔８ｉの上側位置にしているため、落下防止装置Ｓを構成する係止爪１３は爪体１３ｇが下方を向く解除姿勢となっており、爪体１３ｇが係止部１７の係止片１７ｃに干渉することなく円滑な開閉作動が行われる。一方、ワイヤ６が切断したような緊急時では、前述したようにワイヤ連結体１０が下動するため、第一、第二アーム１１、１２を介して作動ピン１４が強制移動し、これによって係止爪１３が係止姿勢に変姿して爪体１３ｇを前記係止片１７ｃに係合させることになって、ドア体１の自重落下が防止される。このとき、左右何れか一方のワイヤ６が切断した場合では、ドア体１が上下に傾斜した状態となるが、爪体１３ｇは、ガイドローラ３の外径部位にまで達する本体部１３ａの先端に形成される爪部１３ｅと、その外方にガイドローラ３を迂回する状態で形成される補助爪部１３ｆとで左右方向に長く形成されているので、ドア体１が傾斜することで係止爪１３の係止部１７に対する位置がずれてしまったような場合でも、左右方向に長い爪体１３ｇにより係止片１７ｃに係合できて落下防止ができる。
【００１７】
このように、本発明が実施された形態のものでは、ドア体１の落下防止が計れるものであるが、通常使用状態において全開に近い状態になった場合では、ワイヤ連結体１０に対するワイヤ６の張力が減少することになるが、この場合、最下端パネル１ａがコーナーレール部４ｃを走行することでワイヤ６の張力方向が変化し、これに伴いワイヤ連結体１０が揺動してワイヤ連結体１０の係合部１０ｅが収納部８ｇの係合受け部８ｍに係合して、ワイヤ連結体１０が下動してしまうことを回避することになる。この結果、通常使用状態では、ドア体１の全開に近くなってワイヤ６の張力が少なくなっても、ワイヤ連結体１０がフレーム部材８側に係合して長孔８ｉの上側位置に維持されて係止爪１３を解除姿勢としたままにすることになり、張力消失で弾機１５の付勢力が勝りワイヤ連結体１０が下方に移動して第二アーム１２を揺動させるようなことが回避され、円滑な開閉作動を損なうことなくドア体１を高位置にまで開放することができる。
【図面の簡単な説明】
【図１】オーバーヘッド式ドアの全体正面図である。
【図２】オーバーヘッド式ドアの全体側面図である。
【図３】図３（Ａ）、（Ｂ）、（Ｃ）、（Ｄ）はそれぞれガイドレール部の側面図、正面図、ガイドレールの拡大側面図、平面図である。
【図４】図４（Ａ）、（Ｂ）、（Ｃ）はそれぞれフレーム部材の正面図、側面図、平面図である。
【図５】図５（Ａ）、（Ｂ）、（Ｃ）、（Ｄ）はそれぞれローラ軸の平面図、左側面図、正面図、右側面図である。
【図６】図６（Ａ）、（Ｂ）、（Ｃ）、（Ｄ）はそれぞれ係止爪の左側面図、正面図、右側面図、図６（Ａ）のＸ−Ｘ断面図である。
【図７】図７（Ａ）、（Ｂ）、（Ｃ）、（Ｄ）、（Ｅ）はそれぞれローラアッシーの正面図、平面図、左側面図、右側面図、Ｘ−Ｘ矢視図である。
【図８】要部の正面図である。
【図９】要部の側面図である。
【図１０】要部の平面図である。
【図１１】ドア体の全開状態を示す作用説明側面図である。
【符号の説明】
１    ドア体
３    ガイドローラ
４    ガイドレール
６    ワイヤ
８    フレーム部材
８ｍ    係合受け部
９    ローラ軸
１０    ワイヤ連結体
１０ｄ    係合部
１１    第一アーム
１２    第二アーム
１３    係止爪
１３ｇ    爪体
１４    作動ピン
１５    弾機
１６    ローラアッシー
１７    係止部
【図１】
0003559946.tif 000002
【図２】
0003559946.tif 000003
【図３】
0003559946.tif 000004
【図４】
0003559946.tif 000005
【図５】
0003559946.tif 000006
【図６】
0003559946.tif 000007
【図７】
0003559946.tif 000008
【図８】
0003559946.tif 000009
【図９】
0003559946.tif 000010
【図１０】
0003559946.tif 000011
【図１１】
0003559946.tif 000012